(57)【要約】【課題】  遠隔監視機能を具備していない非遠隔監視装置に対して既存のＳＮＭＰマネージャから遠隔制御を行うことが可能な遠隔監視機能提供装置を提供する。【解決手段】  ＳＮＭＰ接続制御部２１はＳＮＭＰ制御データを解析し、その解析結果をＭＩＢ管理部２２に送信する。ＭＩＢ管理部２２はＳＮＭＰ制御データがＳＮＭＰ−ＳＥＴリクエストであった場合、非遠隔監視装置３の設定コマンドに変換してＣＬＩ制御部２３に送信する。ＣＬＩ制御部２３は非遠隔監視装置３に設定コマンドを送信し、さらに非遠隔監視装置３からの応答を待ち、応答コマンドを受信したら、ＭＩＢ管理部２２に応答メッセージを通知する。ＭＩＢ管理部２２は設定内容をＭＩＢに保存するとともに、応答メッセージをＳＮＭＰ−ＳＥＴレスポンス形式に変換し、ＳＮＭＰ接続制御部２１からＳＮＭＰコマンドレスポンス監視ポート２０に返信する。【選択図】      図２
2007267068.tif 000002
【特許請求の範囲】
【請求項１】
遠隔からの機能設定機能を備えていない非遠隔監視装置と、前記非遠隔監視装置を含むネットワークを遠隔管理する管理サーバとからなるネットワーク管理システムであって、
前記管理サーバからの設定要求を前記非遠隔監視装置の設定コマンドに変換して当該非遠隔監視装置に送出する手段と、その設定コマンドに対する当該非遠隔監視装置からの応答を前記管理サーバへのレスポンス形式に変換して前記管理サーバに返送する手段とを含む遠隔監視機能提供装置を有することを特徴とするネットワーク管理システム。
【請求項２】
前記遠隔監視機能提供装置は、前記管理サーバからの取得要求を前記非遠隔監視装置の参照コマンドに変換して当該非遠隔監視装置に送出する手段と、その参照コマンドに対する当該非遠隔監視装置からの応答を前記管理サーバへのレスポンス形式に変換して前記管理サーバに返送する手段とを含むことを特徴とする請求項１記載のネットワーク管理システム。
【請求項３】
前記管理サーバが、ＳＮＭＰ（Ｓｉｍｐｌｅ  Ｎｅｔｗｏｒｋ  Ｍａｎａｇｅｍｅｎｔ  Ｐｒｏｔｏｃｏｌ）マネージャであることを特徴とする請求項１または請求項２記載のネットワーク管理システム。
【請求項４】
前記遠隔監視機能提供装置は、前記ＳＮＭＰマネージャからのＳＮＭＰ−ＳＥＴリクエストを前記非遠隔監視装置の設定コマンドに変換して提供することを特徴とする請求項３記載のネットワーク管理システム。
【請求項５】
前記遠隔監視機能提供装置は、前記ＳＮＭＰマネージャからのＳＮＭＰ−ＧＥＴリクエストを前記非遠隔監視装置の参照コマンドに変換して提供することを特徴とする請求項３または請求項４記載のネットワーク管理システム。
【請求項６】
前記遠隔監視機能提供装置は、前記非遠隔監視装置のアラーム状態をＳＮＭＰ−ＴＲＡＰにて前記ＳＮＭＰマネージャに通知することを特徴とする請求項３から請求項５のいずれか記載のネットワーク管理システム。
【請求項７】
前記遠隔監視機能提供装置は、前記ＳＮＭＰマネージャに対して前記非遠隔監視装置のＭＩＢ（Ｍａｎａｇｅｍｅｎｔ  Ｉｎｆｏｒｍａｔｉｏｎ  Ｂａｓｅ）情報を管理する手段を含むことを特徴とする請求項３から請求項６のいずれか記載のネットワーク管理システム。
【請求項８】
遠隔からの機能設定機能を備えていない非遠隔監視装置と、前記非遠隔監視装置を含むネットワークを遠隔管理する管理サーバとからなるネットワーク管理システムにおいて前記非遠隔監視装置に遠隔監視機能を提供する遠隔監視機能提供装置であって、
前記管理サーバからの設定要求を前記非遠隔監視装置の設定コマンドに変換して当該非遠隔監視装置に送出する手段と、その設定コマンドに対する当該非遠隔監視装置からの応答を前記管理サーバへのレスポンス形式に変換して前記管理サーバに返送する手段とを有することを特徴とする遠隔監視機能提供装置。
【請求項９】
前記管理サーバからの取得要求を前記非遠隔監視装置の参照コマンドに変換して当該非遠隔監視装置に送出する手段と、その参照コマンドに対する当該非遠隔監視装置からの応答を前記管理サーバへのレスポンス形式に変換して前記管理サーバに返送する手段とを含むことを特徴とする請求項８記載の遠隔監視機能提供装置。
【請求項１０】
前記管理サーバが、ＳＮＭＰ（Ｓｉｍｐｌｅ  Ｎｅｔｗｏｒｋ  Ｍａｎａｇｅｍｅｎｔ  Ｐｒｏｔｏｃｏｌ）マネージャであることを特徴とする請求項８または請求項９記載の遠隔監視機能提供装置。
【請求項１１】
前記ＳＮＭＰマネージャからのＳＮＭＰ−ＳＥＴリクエストを前記非遠隔監視装置の設定コマンドに変換して提供することを特徴とする請求項１０記載の遠隔監視機能提供装置。
【請求項１２】
前記ＳＮＭＰマネージャからのＳＮＭＰ−ＧＥＴリクエストを前記非遠隔監視装置の参照コマンドに変換して提供することを特徴とする請求項１０または請求項１１記載の遠隔監視機能提供装置。
【請求項１３】
前記非遠隔監視装置のアラーム状態をＳＮＭＰ−ＴＲＡＰにて前記ＳＮＭＰマネージャに通知することを特徴とする請求項１０から請求項１２のいずれか記載の遠隔監視機能提供装置。
【請求項１４】
前記ＳＮＭＰマネージャに対して前記非遠隔監視装置のＭＩＢ（Ｍａｎａｇｅｍｅｎｔ  Ｉｎｆｏｒｍａｔｉｏｎ  Ｂａｓｅ）情報を管理する手段を含むことを特徴とする請求項１０から請求項１３のいずれか記載の遠隔監視機能提供装置。
【請求項１５】
遠隔からの機能設定機能を備えていない非遠隔監視装置と、前記非遠隔監視装置を含むネットワークを遠隔管理する管理サーバとからなるネットワーク管理システムに用いる遠隔制御方法であって、
遠隔監視機能提供装置が、前記管理サーバからの設定要求を前記非遠隔監視装置の設定コマンドに変換して当該非遠隔監視装置に送出する処理と、その設定コマンドに対する当該非遠隔監視装置からの応答を前記管理サーバへのレスポンス形式に変換して前記管理サーバに返送する処理とを実行することを特徴とする遠隔制御方法。
【請求項１６】
前記遠隔監視機能提供装置が、前記管理サーバからの取得要求を前記非遠隔監視装置の参照コマンドに変換して当該非遠隔監視装置に送出する処理と、その参照コマンドに対する当該非遠隔監視装置からの応答を前記管理サーバへのレスポンス形式に変換して前記管理サーバに返送する処理とを実行することを特徴とする請求項１５記載の遠隔制御方法。
【請求項１７】
前記管理サーバが、ＳＮＭＰ（Ｓｉｍｐｌｅ  Ｎｅｔｗｏｒｋ  Ｍａｎａｇｅｍｅｎｔ  Ｐｒｏｔｏｃｏｌ）マネージャであることを特徴とする請求項１５または請求項１６記載の遠隔制御方法。
【請求項１８】
前記遠隔監視機能提供装置が、前記ＳＮＭＰマネージャからのＳＮＭＰ−ＳＥＴリクエストを前記非遠隔監視装置の設定コマンドに変換して提供することを特徴とする請求項１７記載の遠隔制御方法。
【請求項１９】
前記遠隔監視機能提供装置が、前記ＳＮＭＰマネージャからのＳＮＭＰ−ＧＥＴリクエストを前記非遠隔監視装置の参照コマンドに変換して提供することを特徴とする請求項１７または請求項１８記載の遠隔制御方法。
【請求項２０】
前記遠隔監視機能提供装置が、前記非遠隔監視装置のアラーム状態をＳＮＭＰ−ＴＲＡＰにて前記ＳＮＭＰマネージャに通知することを特徴とする請求項１７から請求項１９のいずれか記載の遠隔制御方法。
【請求項２１】
前記遠隔監視機能提供装置が、前記ＳＮＭＰマネージャに対して前記非遠隔監視装置のＭＩＢ（Ｍａｎａｇｅｍｅｎｔ  Ｉｎｆｏｒｍａｔｉｏｎ  Ｂａｓｅ）情報を管理する手段を含むことを特徴とする請求項１７から請求項２０のいずれか記載の遠隔制御方法。
【発明の詳細な説明】
【技術分野】
【０００１】
本発明はネットワーク管理システム、遠隔監視機能提供装置及びそれらに用いる遠隔制御方法に関し、特にネットワークからの遠隔設定またはネットワーク情報の監視を行うための遠隔制御方法に関する。
【背景技術】
【０００２】
従来、ネットワーク管理システムにおいては、ＳＮＭＰ（Ｓｉｍｐｌｅ  Ｎｅｔｗｏｒｋ  Ｍａｎａｇｅｍｅｎｔ  Ｐｒｏｔｏｃｏｌ）によるネットワーク監視を行う場合、ＩＰ（ｉｎｔｅｒｎｅｔ  Ｐｒｏｔｏｃｏｌ）ネットワーク上に一つまたは複数の管理ステーション（ＳＮＭＰマネージャ）と、複数の被管理対象（ＳＮＭＰエージェント）とを配置している。
【０００３】
上記のネットワーク管理システムでは、これら管理ステーションと複数の被管理対象との間で情報の受け渡しを行い、ネットワーク管理に必要な構成管理、障害管理、性能管理を実現している（例えば、特許文献１〜３参照）。
【０００４】
【特許文献１】特開２０００−２８６８７９号公報
【特許文献２】特開２００５−１２２５６３号公報
【特許文献３】特開２００５−１５７９０３号公報
【発明の開示】
【発明が解決しようとする課題】
【０００５】
上述した従来のネットワーク管理システムでは、遠隔監視機能を具備していない既存の非遠隔監視装置やアラーム接点の出力しか持たない非遠隔監視装置を含むシステムの場合、それら非遠隔監視装置に対してネットワークからの遠隔設定またはネットワーク情報の監視を行う場合、それら非遠隔監視装置が設置されている場所に赴いて設定や監視を行うか、あるいはそれら非遠隔監視装置を、遠隔監視機能を具備する遠隔監視装置と入替えなければならない。
【０００６】
そこで、本発明の目的は上記の問題点を解消し、遠隔監視機能を具備していない非遠隔監視装置に対して既存のＳＮＭＰマネージャから遠隔制御を行うことができるネットワーク管理システム、遠隔監視機能提供装置及びそれらに用いる遠隔制御方法を提供することにある。
【課題を解決するための手段】
【０００７】
本発明によるネットワーク管理システムは、遠隔からの機能設定機能を備えていない非遠隔監視装置と、前記非遠隔監視装置を含むネットワークを遠隔管理する管理サーバとからなるネットワーク管理システムであって、
前記管理サーバからの設定要求を前記非遠隔監視装置の設定コマンドに変換して当該非遠隔監視装置に送出する手段と、その設定コマンドに対する当該非遠隔監視装置からの応答を前記管理サーバへのレスポンス形式に変換して前記管理サーバに返送する手段とを含む遠隔監視機能提供装置を備えている。
【０００８】
本発明による遠隔監視機能提供装置は、遠隔からの機能設定機能を備えていない非遠隔監視装置と、前記非遠隔監視装置を含むネットワークを遠隔管理する管理サーバとからなるネットワーク管理システムにおいて前記非遠隔監視装置に遠隔監視機能を提供する遠隔監視機能提供装置であって、
前記管理サーバからの設定要求を前記非遠隔監視装置の設定コマンドに変換して当該非遠隔監視装置に送出する手段と、その設定コマンドに対する当該非遠隔監視装置からの応答を前記管理サーバへのレスポンス形式に変換して前記管理サーバに返送する手段とを備えている。
【０００９】
本発明による遠隔制御方法は、遠隔からの機能設定機能を備えていない非遠隔監視装置と、前記非遠隔監視装置を含むネットワークを遠隔管理する管理サーバとからなるネットワーク管理システムに用いる遠隔制御方法であって、
遠隔監視機能提供装置が、前記管理サーバからの設定要求を前記非遠隔監視装置の設定コマンドに変換して当該非遠隔監視装置に送出する処理と、その設定コマンドに対する当該非遠隔監視装置からの応答を前記管理サーバへのレスポンス形式に変換して前記管理サーバに返送する処理とを実行している。
【００１０】
すなわち、本発明のネットワーク管理システムは、遠隔監視機能を具備していない非遠隔監視装置に対して、遠隔監視機能を提供する遠隔監視機能提供装置を接続することによって、ネットワークからの遠隔設定またはネットワーク情報の監視を行うことを可能としている。
【００１１】
非遠隔監視装置は、コンソールポートやＴｅｌｎｅｔからのＣＬＩ（Ｃｏｍｍａｎｄ  Ｌｉｎｅ  Ｉｎｔｅｒｆａｃｅ）機能（設定またはアラーム状況を確認可能）と、アラーム状態である接点出力機能とを有している。
【００１２】
遠隔監視機能提供装置は、非遠隔監視装置との通信を可能にするＣＬＩ制御ポートと、ＳＮＭＰ（Ｓｉｍｐｌｅ  Ｎｅｔｗｏｒｋ  Ｍａｎａｇｅｍｅｎｔ  Ｐｒｏｔｏｃｏｌ）遠隔監視用のＵＴＰ（Ｕｎｓｈｉｅｌｄｅｄ  Ｔｗｉｓｔｅｄ  Ｐａｉｒ）ポートと、接点出力の状態を監視するアラーム制御ポートとを具備している。
【００１３】
また、遠隔監視機能提供装置は、遠隔監視を行うＳＮＭＰマネージャに対して非遠隔監視装置のＭＩＢ（Ｍａｎａｇｅｍｅｎｔ  Ｉｎｆｏｒｍａｔｉｏｎ  Ｂａｓｅ）情報を持ち、ＳＮＭＰマネージャからのＳＮＭＰ−ＳＥＴリクエスト（設定要求）またはＳＮＭＰ−ＧＥＴリクエスト（取得要求）をＣＬＩ制御ポートを介して非遠隔監視装置にＣＬＩ機能で設定または参照するコマンドを送出し、要求されたＭＩＢ情報のレスポンスを通知する機能を有している。
【００１４】
さらに、遠隔監視機能提供装置は、非遠隔監視装置のアラーム状態である接点出力をＳＮＭＰマネージャに対してＳＮＭＰ−ＴＲＡＰ（ＳＮＭＰトラップ：ＳＮＭＰを使ったネットワーク管理で、管理対象から管理サーバに届けられる状況通知用のレポート）によって通知する機能を実現している。
【００１５】
これによって、本発明のネットワーク管理システムでは、遠隔監視機能を具備していない既存の非遠隔監視装置を入れ替えることなく、遠隔監視機能提供装置を導入することで、既存のＳＮＭＰマネージャから遠隔制御を可能としている。
【００１６】
また、本発明のネットワーク管理システムでは、アラーム接点の出力しか持たなかった非遠隔監視装置を入れ替えることなく、遠隔監視機能提供装置を導入することで、既存のＳＮＭＰマネージャから遠隔監視を可能としている。
【発明の効果】
【００１７】
本発明は、上記のような構成及び動作とすることで、遠隔監視機能を具備していない非遠隔監視装置に対して既存のＳＮＭＰマネージャから遠隔制御を行うことができるという効果が得られる。
【発明を実施するための最良の形態】
【００１８】
次に、本発明の実施例について図面を参照して説明する。図１は本発明の一実施例によるネットワーク管理システムの構成を示すブロック図である。図１において、本発明の一実施例によるネットワーク管理システムは、ＳＮＭＰ（Ｓｉｍｐｌｅ  Ｎｅｔｗｏｒｋ  Ｍａｎａｇｅｍｅｎｔ  Ｐｒｏｔｏｃｏｌ）マネージャ１と、遠隔監視機能提供装置２と、非遠隔監視装置３とから構成されている。
【００１９】
ＳＮＭＰマネージャ１は、ＵＴＰ（Ｕｎｓｈｉｅｌｄｅｄ  Ｔｗｉｓｔｅｄ  Ｐａｉｒ）接続でネットワーク１００を介して、同じくＵＴＰ接続された遠隔監視機能提供装置２に接続されている。
【００２０】
遠隔監視機能提供装置２は、遠隔監視機能を具備していない非遠隔監視装置３とＣＬＩ（Ｃｏｍｍａｎｄ  Ｌｉｎｅ  Ｉｎｔｅｒｆａｃｅ）機能で設定または状態参照のコマンド（ＳＮＭＰ−ＳＥＴリクエストまたはＳＮＭＰ−ＧＥＴリクエスト）をやり取りするためのＣＬＩポート４に接続し、また非遠隔監視装置３のアラーム状況を知らせるための機能として具備している接点出力ポート５に接続されている。
【００２１】
図２は図１の遠隔監視機能提供装置２の構成を示すブロック図である。図２において、遠隔監視機能提供装置２はＳＮＭＰコマンドレスポンス監視ポート２０と、ＳＮＭＰ接続制御部２１と、ＭＩＢ（Ｍａｎａｇｅｍｅｎｔ  Ｉｎｆｏｒｍａｔｉｏｎ  Ｂａｓｅ）管理部２２と、ＣＬＩ制御部２３と、アラーム制御部２４とから構成されている。
【００２２】
遠隔監視機能提供装置２のＵＴＰ接続ポートはＳＮＭＰコマンドレスポンス監視ポート２０として機能する。ＳＮＭＰコマンドレスポンス監視ポート２０はＳＮＭＰ接続制御部２１に接続され、ＳＮＭＰ接続制御部２１はＳＮＭＰ制御データを解析し、その解析結果をＭＩＢ管理部２２に送信する。
【００２３】
ＭＩＢ管理部２２はＳＮＭＰ制御データがＳＮＭＰ−ＳＥＴリクエストか、ＳＮＭＰ−ＧＥＴリクエストかを判断し、ＳＮＭＰ−ＳＥＴリクエストであった場合、非遠隔監視装置３の設定コマンドに変換してＣＬＩ制御部２３に送信する。
【００２４】
ＣＬＩ制御部２３は非遠隔監視装置３に設定コマンドを送信する機能を有し、さらに非遠隔監視装置３からの応答を待ち、応答コマンドを受信したら、ＭＩＢ管理部２２に応答メッセージを通知する。ＭＩＢ管理部２２は設定内容をＭＩＢに保存するとともに、応答メッセージをＳＮＭＰ−ＳＥＴレスポンス形式に変換し、ＳＮＭＰ接続制御部２１からＳＮＭＰコマンドレスポンス監視ポート２０に返信する。
【００２５】
また、ＭＩＢ管理部２２はＳＮＭＰ制御データがＳＮＭＰ−ＧＥＴリクエストであった場合、非遠隔監視装置３の参照コマンドに変換してＣＬＩ制御部２３に送信する。
【００２６】
ＣＬＩ制御部２３は非遠隔監視装置３へ参照コマンドを送信する機能を有し、さらに非遠隔監視装置３からの応答を待ち、応答コマンドを受信したら、ＭＩＢ管理部２２に応答メッセージを通知する。ＭＩＢ管理部２２はＭＩＢ情報を更新するとともに、応答メッセージをＳＮＭＰ−ＧＥＴレスポンス形式に変換し、ＳＮＭＰ接続制御部２１からＳＮＭＰコマンドレスポンス監視ポート２０に返信する機能を有している。
【００２７】
また、非遠隔監視装置３にアラームが発生した場合、アラーム制御部２４は接点入力の監視によって異常があったことを感知し、ＣＬＩ制御部２３にアラーム情報を要求する。要求を受付けたＣＬＩ制御部２３は非遠隔監視装置３からアラーム参照コマンドによってアラーム要因を取得し、取得したアラーム要因を応答メッセージとしてアラーム制御部２４に通知する。
【００２８】
アラーム制御部２４はＭＩＢ管理部２２にアラーム要因を通知する。ＭＩＢ管理部２２はアラーム情報ＭＩＢを更新し、自発メッセージとしてＳＮＭＰ−ＴＲＡＰ（ＳＮＭＰトラップ：ＳＮＭＰを使ったネットワーク管理で、管理対象から管理サーバに届けられる状況通知用のレポート）をＳＮＭＰ接続制御部２１からＳＮＭＰコマンドレスポンス監視ポート２０に返信する機能を有している。
【００２９】
図３は本発明の一実施例によるネットワーク管理システムの動作を示すシーケンスチャートである。これら図１〜図３を参照して本発明の一実施例によるネットワーク管理システムの動作について説明する。
【００３０】
遠隔監視機能提供装置２のＳＮＭＰ接続制御部２１はＳＮＭＰマネージャ１からのＳＮＭＰコマンドを解析し、ＭＩＢ管理部２２とＳＮＭＰコマンドレスポンスをやり取りするインタフェースで接続されている。
【００３１】
ＭＩＢ管理部２２はＳＮＭＰマネージャ１からのＳＮＭＰ−ＳＥＴリクエストを解析し（図３のａ１参照）、非遠隔監視装置３へのＣＬＩ機能の設定コマンドに変換したデータをＣＬＩ制御部２３に送信する。ＣＬＩ制御部２３はＣＬＩポート４で接続された非遠隔監視装置３に設定コマンドを送信する（図３のａ２参照）。
【００３２】
遠隔監視機能を具備していない非遠隔監視装置３はＣＬＩ機能によって遠隔監視機能提供装置２から要求された設定を実行し、完了したことをＣＬＩポート４に応答する（図３のａ３参照）。ＣＬＩ制御部２３はＣＬＩポート４から応答を受取ると、ＭＩＢ管理部２２に応答メッセージを返信する。
【００３３】
ＭＩＢ管理部２２はその応答メッセージを基にＭＩＢ情報を更新するとともに、応答メッセージをＳＮＭＰ−ＳＥＴレスポンス形式のメッセージに変換してＳＮＭＰ接続制御部２１に通知する。ＳＮＭＰ接続制御部２１はそのメッセージをＳＮＭＰコマンドレスポンス監視ポート２０に返信する（図３のａ４参照）。
【００３４】
ＳＮＭＰマネージャ１からの要求がＳＮＭＰ−ＧＥＴリクエストであった場合（図３のａ５参照）、ＭＩＢ管理部２２はＣＬＩ制御部２３にＣＬＩ機能コマンドとして参照コマンドを送信する。ＣＬＩ制御部２３は非遠隔監視装置３へ参照コマンドを送信し（図３のａ６参照）、さらに非遠隔監視装置３からの応答を待ち、応答コマンドを受信したら（図３のａ７参照）、ＭＩＢ管理部２２に応答メッセージを通知する。
【００３５】
ＭＩＢ管理部２２はその応答メッセージを基にＭＩＢ情報を更新するとともに、応答メッセージをＳＮＭＰ−ＧＥＴレスポンス形式のメッセージに変換してＳＮＭＰ接続制御部２１に通知する。ＳＮＭＰ接続制御部２１はそのメッセージをＳＮＭＰコマンドレスポンス監視ポート２０に返信する（図３のａ８参照）。
【００３６】
非遠隔監視装置３にアラームが発生した場合、接点出力ポート５を介して遠隔監視機能提供装置２のアラーム制御部２４が接点入力の監視によって異常があったことを感知し（図３のａ９参照）、ＣＬＩ制御部２３にアラーム情報を要求する。
【００３７】
要求を受付けたＣＬＩ制御部２３は非遠隔監視装置３にアラーム参照コマンドを送出し（図３のａ１０参照）、その応答メッセージによってアラーム要因を取得し（図３のａ１１参照）、アラーム制御部２４に応答メッセージとして通知する。アラーム制御部２４はＭＩＢ管理部２２にアラーム要因を通知する。
【００３８】
ＭＩＢ管理部２２はアラーム要因を受取ると、アラーム情報ＭＩＢを更新し、自発メッセージとしてＳＮＭＰ−ＴＲＡＰをＳＮＭＰ接続制御部２１に通知する。ＳＮＭＰ接続制御部２１はＳＮＭＰ−ＴＲＡＰをＳＮＭＰコマンドレスポンス監視ポート２０に返信する（図３のａ１２参照）。
【００３９】
このように、本実施例では、遠隔監視機能を具備していない既存の非遠隔監視装置３を入れ替えることなく、遠隔監視機能提供装置２を導入することによって、既存のＳＮＭＰマネージャ１から遠隔制御を行うことができる。
【００４０】
また、本実施例では、アラームの接点出力ポート５しか持たなかった非遠隔監視装置３を入れ替えることなく、遠隔監視機能提供装置２を導入することで、既存のＳＮＭＰマネージャ１から遠隔監視を行うことができる。
【００４１】
図４は本発明の他の実施例による遠隔監視機能提供装置の構成を示すブロック図であり、図５は本発明の他の実施例によるネットワーク監視システムの動作を示すシーケンスチャートである。図４において、本発明の他の実施例による遠隔監視機能提供装置２はアラーム制御部２４の代わりに、アラーム監視部２５とタイマ処理部２６とを設けた以外は図２に示す本発明の一実施例による遠隔監視機能提供装置２と同様の構成となっており、同一構成要素には同一符号を付してある。また、同一構成要素の動作は上記の本発明の一実施例と同様である。
【００４２】
本発明の他の実施例では、非遠隔監視装置３がアラーム情報を出力する接点出力ポート５を具備しない場合を示している。以下、図４及び図５を参照して本発明の他の実施例によるネットワーク監視システムの動作について説明する。
【００４３】
本発明の他の実施例においては、ＳＮＭＰマネージャ１から遠隔制御を可能にするＳＮＭＰ−ＳＥＴリクエスト及びＳＮＭＰ−ＧＥＴリクエストが送出された場合の動作が（図５のｂ１〜ｂ８参照）、上記の本発明の一実施例による動作と同様である。
【００４４】
アラーム監視部２５はタイマ処理部２６に対して一定周期でポーリング用タイマ要求を行う。タイマ処理部２６はタイマ要求のカウントアップを行い、要求のカウント時間が経過すると、アラーム監視部２５にタイムアウト応答を行う（図５のｂ９参照）。
【００４５】
タイムアウトを受けたアラーム監視部２５はＣＬＩ制御部２３にアラーム参照コマンドを送出する。ＣＬＩ制御部２３は非遠隔監視装置３にアラーム参照コマンドを送出し（図５のｂ１０参照）、非遠隔監視装置３は自装置のアラーム状態をアラーム参照応答メッセージとしてＣＬＩ制御部２３に返信する（図５のｂ１１参照）。
【００４６】
ＣＬＩ制御部２３はアラーム参照応答メッセージをアラーム監視部２５に通知し、非遠隔監視装置３が前回のポーリングで参照したアラーム状態から、発生または復旧状態に変化があるかを確認する。非遠隔監視装置３のアラーム状態に変化があった場合、アラーム監視部２５はＭＩＢ管理部２２にアラーム要因を通知する。
【００４７】
ＭＩＢ管理部１４はアラーム要因を受取ると、アラーム情報ＭＩＢを更新し、自発メッセージとしてＳＮＭＰ−ＴＲＡＰをＳＮＭＰ接続制御部２１に通知する。ＳＮＭＰ接続制御部２１はそのＳＮＭＰ−ＴＲＡＰをＳＮＭＰコマンドレスポンス監視ポート２０に返信する（図５のｂ１２参照）。
【００４８】
このように、本実施例では、アラームの接点出力ポート５を持たない非遠隔監視装置３を入れ替えることなく、遠隔監視機能提供装置２を導入することで、既存のＳＮＭＰマネージャ１から遠隔監視を行うことができる。
【図面の簡単な説明】
【００４９】
【図１】本発明の一実施例によるネットワーク管理システムの構成を示すブロック図である。
【図２】図１の遠隔監視機能提供装置の構成を示すブロック図である。
【図３】本発明の一実施例によるネットワーク管理システムの動作を示すシーケンスチャートである。
【図４】本発明の他の実施例による遠隔監視機能提供装置の構成を示すブロック図である。
【図５】本発明の他の実施例によるネットワーク監視システムの動作を示すシーケンスチャートである。
【符号の説明】
【００５０】
１  ＳＮＭＰマネージャ
２  遠隔監視機能提供装置
３  非遠隔監視装置
４  ＣＬＩポート
５  接点出力ポート
２０  ＳＮＭＰコマンドレスポンス監視ポート
２１  ＳＮＭＰ接続制御部
２２  ＭＩＢ管理部
２３  ＣＬＩ制御部
２４  アラーム制御部
２５  アラーム監視部
２６  タイマ処理部
１００  ネットワーク
【図１】
2007267068.tif 000003
【図２】
2007267068.tif 000004
【図３】
2007267068.tif 000005
【図４】
2007267068.tif 000006
【図５】
2007267068.tif 000007